(57)【要約】【課題】縫製条件に応じた上送り歯の上下位置の調節を、ミシンベッドの面内での位置ずれを生じる虞れなく速やかに行わせ得るようにする。【解決手段】上送り棒１０の下端に取付けられる送りブラケット１を、上部ブラケット１１と下部ブラケット１２とに分離構成し、上部ブラケット１１の下端部に上下方向に延設されたガイド溝５０に下部ブラケット１２の上端部に設けたスライダ５２を摺動自在に嵌め込み、ガイド溝５０の底面の長孔５１に通した止めねじ５４をスライダ５２に形成されたねじ孔５３に螺合し、スライダ５２の摺動位置を止めねじ５４の締め付けにより固定して、下部ブラケット１２の下端に設けた上送り歯１３の上下位置を調節する。【選択図】　　　　図２
2004049743.tif 000002
【特許請求の範囲】
【請求項１】
ミシンアームの先端部に垂下支持され、該ミシンアームの内部からの伝動により所定の送り動作をなす上送り棒と、
該上送り棒に取付けてあり、針落ち位置前に延長された下端に上送り歯を有する送りブラケットと、
該送りブラケットの一部に設けられ、前記上送り歯の上下位置を前記上送り棒に対する周方向位置を変えずに調節する上下位置調節手段と
を備えることを特徴とするミシンの上送り装置。
【請求項２】
前記送りブラケットは、前記上送り棒への固定手段を有する上部ブラケットと、前記上送り歯を有する下部ブラケットとを備え、前記上下位置調節手段は、前記上部ブラケットと前記下部ブラケットとの間に構成してある請求項１記載のミシンの上送り装置。
【請求項３】
前記上下位置調節手段は、前記上部ブラケット及び下部ブラケットの一方に設けられ、前記上送り棒の軸長方向に延びるガイド溝と、前記上部ブラケット及び下部ブラケットの他方に設けられ、前記ガイド溝に摺動自在に嵌め込まれたスライダと、該スライダの摺動位置を前記ガイド溝の適宜位置にて固定する固定手段とを備える請求項２記載のミシンの上送り装置。
【発明の詳細な説明】
【０００１】
【発明の属する技術分野】
本発明は、ミシンアームの先端部から垂下された上送り棒の下端に取付けた上送り歯に、ミシンアーム内部からの伝動により上下動及び前後動を組み合わせた長円運動を行わせて、ミシンベッド上の縫製生地に上部から送り力を加えて針落ち位置に送り込むようにしたミシンの上送り装置に関する。
【０００２】
【従来の技術】
ミシンによる縫製は、ミシンベッド上の縫製生地をミシンアームから垂下された押え金により針落ち位置の前後に亘って挾持し、ミシンベッドに内蔵された送り歯の動作により、前記縫製生地に送りを加えて行われる。前記送り歯は、ミシンベッド内部の主軸に公知の送り機構を介して連携され、ミシン各部の動作に同期して送り方向に沿う略鉛直な面内での長円運動を行い、この運動軌跡の上部においてミシンベッド上に突出し、前記押え金の下面との間に縫製生地を挾圧して送り力を付与する構成となっている。
【０００３】
ところがこの構成においては、例えば、滑り易い素材からなる縫製生地を複数枚重ねて縫製する場合等、前記送り歯による送り力が直接的に加えられる下側の生地と、押え金に沿って滑動する上側の生地との間にずれが生じ易いという問題があり、縫いずれのない良好な縫製品を得るためには、針落ち位置の前側において作業者の手加減による微妙な送り調節を要し、生産性の向上を阻害する一因となっている。
【０００４】
そこで従来から、特開平７−３２８２５８号公報等に開示されているように、ミシンアームの先端部に垂下支持された上送り棒の下端に送り歯（上送り歯）を取付け、この送り歯にミシンベッド内部の本来の送り歯（下送り歯）と同期した送り動作を行わせて、ミシンベッド上に供給される縫製生地に上側からも送り力を加える構成とした上送り装置を備えるミシンが実用化されている。
【０００５】
図５は、従来の上送り装置を備えるミシンの要部の左側面図である。図中Ａはミシンアームであり、該ミシンアームＡには、下端に押え金２が取り付けられた押え棒２０が垂下支持され、また、該押え棒２０の前側（図の右側）に位置して上送り棒１０が垂下支持され、更に、該上送り棒１０の背面側に隠れて、その下端に針３が取り付けられた針棒が垂下支持されている。
【０００６】
ミシンアームＡの下方に突出する上送り棒１０の端部には、送りブラケット１ａが取り付けられている。該送りブラケット１ａの下端は、図中に２点鎖線により略示するミシンベッドＢの上面に、押え金２に形成された前後に長い送り歯孔２ａを介して対向させてあり、この対向端面には、下向きの歯を備える上送り歯１ｂが一体形成されている。
【０００７】
前記上送り棒１０は、ミシンアームＡの内部に構成された上送り機構からの伝動により、上下動及び前後動を組み合わせた所定の動作をなし、この動作に応じて送りブラケット１ａの下端の上送り歯１ｂは、図中に矢符により示す如く、下位置において後方に向かい、上位置において前方に戻る長円運動を行う。ミシンベッドＢの内部には、逆に、上位置において後方に向かい、下位置において前方に戻る長円運動をなす下送り歯４が配してあり、ミシンベッドＢ上の縫製生地Ｗは、互いに同期して生じる上送り歯１ｂ及び下送り歯４の動作により上下から送りを加えられ、針３が降下する針落ち位置に送り込まれて縫製される。
【０００８】
【発明が解決しようとする課題】
さて、以上の如く構成された上送り装置を備えるミシンにおいて、ミシンベッドＢ上の縫製生地Ｗに適正な送りを加えるためには、上送り歯１ｂの上下位置を、対象となる縫製生地Ｗの種類（厚さ、重ね枚数、軟らかさ）等の縫製条件に応じて調節するのが望ましい。この調節は、従来においては以下の如く実施されている。
【０００９】
図６は、上送り棒１０の下端への送りブラケット１ａの取付け状態を示す斜視図である。図示の如く、上送り棒１０の下端への取付け部となる送りブラケット１ａの上端には、周壁の一か所を割り溝により分離してなる円筒形の抱持筒１ｃが設けてある。この抱持筒１ｃは、前記割り溝を介して対向し、径方向に突出する一対のフランジを備え、これらのフランジに挿通された締め付けねじ１ｄの締め付けにより内径を減じることができる。送りブラケット１ａの取付けは、図示の如く、上送り棒１０の下部を抱持筒１ｃに内嵌し、該抱持筒１ｃの内径を前記締め付けねじ１ｄの締め付けにより減じ、上送り棒１０の下部を抱持せしめてなされている。
【００１０】
このように取付けられた送りブラケット１ａは、締め付けねじ１ｄを適宜に緩めて抱持筒１ｃの内径を増し、抱持を解除された抱持筒１ｃを上送り棒１０をガイドとして軸長方向に摺動させ、所望の摺動位置にて締め付けねじ１ｄを再度締め付けることにより固定することができ、このような一連の手順によって送りブラケット１ａの下端に設けた上送り歯１ｂの上下位置が調節される。
【００１１】
しかしながら、このように行われる上下位置の調節においては、抱持筒１ｃの抱持を解除し、上送り棒１０に沿って上下方向に摺動させる間に、該抱持筒１ｃが軸回りに回転することが避けられず、この回転に応じて送りブラケット１ａの下端に設けられた上送り歯１ｂがミシンベッドＢの面上において変位し、前記押え金２に形成された送り歯溝２ａとの間に相対的な位置ずれが生じることがあり、この位置ずれの発生に気付かないままに縫製を再開した場合、上送り歯１ｂと送り歯溝２ａの周縁部との接触又は衝突が発生する虞れがあった。
【００１２】
従って、従来の上送り装置においては、上送り歯１ｂの上下位置を調節した後、ミシンを空動作させて、調節後の上送り歯１ｂと送り歯溝２ａとの位置関係を確かめる確認作業が必要であり、この確認作業に手間を要する上、位置ずれの発生時には、前記一連の手順の繰り返しを強いられるという問題があった。
【００１３】
前記送りブラケット１ａは、下端に設けられた上送り歯１ｂを右側に並ぶ針落ち位置に前置するため、図６に示す如く、中途部を屈曲せしめた形状を有しており、前記抱持筒１ｃの軸回りのわずかな回転が上送り歯１ｂの大なる位置ずれを招来することから、上下位置の調節作業に多大の手間を強いられることとなっている。
【００１４】
本発明は斯かる事情に鑑みてなされたものであり、上送り棒の下端への上送り歯の取付け構造の改良により、縫製条件に応じた上送り歯の上下位置の調節を、ミシンベッドの面上での位置ずれを生じる虞れなく速やかに行わせ得るミシンの上送り装置を提供することを目的とする。
【００１５】
【課題を解決するための手段】
本発明の第１発明に係るミシンの上送り装置は、ミシンアームの先端部に垂下支持され、該ミシンアームの内部からの伝動により所定の送り動作をなす上送り棒と、該上送り棒に取付けてあり、針落ち位置前に延長された下端に上送り歯を有する送りブラケットと、該送りブラケットの一部に設けられ、前記上送り歯の上下位置を前記上送り棒に対する周方向位置を変えずに調節する上下位置調節手段とを備えることを特徴とする。
【００１６】
本発明においては、上送り歯の上下位置の調節が必要な場合、該上送り歯を下端に備える送りブラケットの一部に設けられた上下位置調節手段の操作により、上送り棒に対する周方向位置を変えずに上送り歯の上下位置を変更し、変更後の位置ずれ確認作業を不要として、速やかな縫製の再開を実現する。
【００１７】
また第２発明に係るミシンの上送り装置は、第１発明における送りブラケットが、前記上送り棒への固定手段を有する上部ブラケットと、前記上送り歯を有する下部ブラケットとを備え、前記上下位置調節手段は、前記上部ブラケットと前記下部ブラケットとの間に構成してあることを特徴とする。
【００１８】
この発明においては、送りブラケットを上下に２分割し、上送り歯を下端に有する下部ブラケットと上送り棒に固定支持された上部ブラケットとの間に上下位置調節手段を構成し、該上下位置調節手段により、下部ブラケットを上部ブラケットに対して移動させ、上送り歯の上下位置を上送り棒に対する周方向位置を変えずに調整する。
【００１９】
更に第３発明に係るミシンの上送り装置は、第２発明における上下位置調節手段が、前記上部ブラケット及び下部ブラケットの一方に設けられ、前記上送り棒の軸長方向に延びるガイド溝と、前記上部ブラケット及び下部ブラケットの他方に設けられ、前記ガイド溝に摺動自在に嵌め込まれたスライダと、該スライダの摺動位置を前記ガイド溝の適宜位置にて固定する固定手段とを備えることを特徴とする。
【００２０】
この発明においては、上部ブラケット又は下部ブラケットに上送り棒の軸長方向に延びるガイド溝を設け、このガイド溝に、下部ブラケット又は上部ブラケットに設けたスライダを嵌め込み、該スライダをガイド溝に沿って摺動させ、適宜の摺動位置にて固定手段によりスライダを固定する構成により、上部ブラケットに固定された上送り棒に対する周方向位置を変えずに下部ブラケットに設けた上送り歯の上下位置を変更する上下位置変更手段を簡素に実現する。前記固定手段は、例えば、ガイド溝の底面を貫通し延長方向に長い長孔に止めねじを通し、該止めねじをスライダに設けたねじ孔に締め付ける構成により簡素に実現することができる。
【００２１】
【発明の実施の形態】
以下本発明をその実施の形態を示す図面に基づいて詳述する。図１は、本発明に係る上送り装置を備えるミシンの要部の左側面図である。
【００２２】
本図には、前記図５と同様、ミシンアームＡの先端部が示されており、該ミシンアームＡには、下端に押え金２が取り付けられた押え棒２０が、また、該押え棒２０の前側（図の右側）に位置して上送り棒１０が、更に、該上送り棒１０の背面側に隠れて、その下端に針３が取り付けられた針棒が、図中に２点鎖線により略示するミシンベッドＢに向けて夫々垂下支持されている。
【００２３】
上送り棒１０の上部は、ミシンアームＡの内部に延長され、この延長端は、公知の上送り機構を介してミシンアームＡの内部の上軸に伝動構成されており、ミシンアームＡの下部に突出する上送り棒１０の下端部は、前記上軸の回転に伴う前記上送り機構の動作に応じて、夫々所定ストロークの上下動及び前後動を組み合わせた動作を行うようになしてある。
【００２４】
このような動作をなす上送り棒１０の下端部には、送りブラケット１が取付けられている。送りブラケット１は、上送り棒１０の下端部に固定された上部ブラケット１１と、該上部ブラケット１１の下部に、後述する上下位置調節手段５を介して連結された下部ブラケット１２とを備えている。下部ブラケット１２の下端部は、図中に一部を示すミシンベッドＢの上面に、押え金２に形成された前後に長い送り歯孔２ａを介して対向させてあり、この対向端面には、下向きの歯を備える上送り歯１３が一体形成されている。
【００２５】
以上の如く取り付けられた送りブラケット１は、上送り棒１０と一体をなし、前述した上下動及び前後動を組み合わせた動作をなし、この動作により、下部ブラケット１２の下端に設けられた上送り歯１３は、図中に矢符により示す如く、下位置において後方に向かい、上位置において前方に戻る長円運動を行う。
【００２６】
このような上送り歯１３が前記送り歯孔２ａを介して対向するミシンベッドＢの内部には、逆に、上位置において後方に向かい、下位置において前方に戻る長円運動をなす下送り歯４が配してあり、ミシンベッドＢ上の縫製生地Ｗは、互いに同期して生じる上送り歯１３及び下送り歯４の動作により、上下から挾持された状態で送りを加えられ、針３が降下する針落ち位置に送り込まれて縫製される。
【００２７】
上部ブラケット１１と下部ブラケット１２との間に構成された上下位置調節手段５は、以上の送り動作をなす上送り歯１３の上下位置を、縫製生地Ｗの種類（厚さ、重ね枚数、軟らかさ）等の縫製条件に応じて変更し、前記上送り歯１３をミシンベッドＢ上の縫製生地Ｗに所定の圧力下にて当接せしめ、該縫製生地Ｗに常に適正な送りを加えて良質な縫製を行わせるべく設けてある。
【００２８】
図２は、送りブラケット１の分解斜視図、図３は、上送り棒１０の下端への送りブラケット１の取付け状態を示す斜視図である。上送り棒１０への取付け部となる上部ブラケット１１の上端には、周壁の一か所を割り溝により分離してなる円筒形の抱持筒１４が設けてある。この抱持筒１４は、図６に示す従来の送りブラケット１ａにおける抱持筒１ｃと同様、前記割り溝を介して対向する一対のフランジを備え、これらに挿通された締め付けねじ１５の締め付けにより内径を減じることが可能な公知の構成を有しており、図３に示す如く上部ブラケット１１の固定は、抱持筒１４を上送り棒１０の下端部に外嵌し、締め付けねじ１５の締め付けにより内径を減じた抱持筒１４により上送り棒１０の嵌合部を抱持せしめて実現されている。
【００２９】
また上部ブラケット１１の下部には、略一定の幅を有する矩形断面のガイド溝５０が上下方向に延設されており、このガイド溝５０の底面には、幅方向の略中央部を貫通し、ガイド溝５０の延設方向に沿って長孔５１が形成されている。また、下端部に上送り歯１３が設けられた下部ブラケット１２の上部には、前記ガイド溝５０に対応する幅を有する矩形ブロック状をなすスライダ５２が一体形成されており、該スライダ５２の幅方向略中央部には、ねじ孔５３が貫通形成されている。
【００３０】
以上の如く構成された上部ブラケット１１と下部ブラケット１２とは、図３に示す如く、後者のスライダ５２を前者のガイド溝５０に嵌め込み、図２中に矢符により示す如く、ガイド溝５０に形成された長孔５１に背面側から挿通された止めねじ５４をスライダ５２に形成されたねじ孔５３に螺合させて、該止めねじ５４の締め付けによりガイド溝５０の底面にスライダ５２を押し付け固定することにより連結されており、前記ガイド溝５０、スライダ５２及び止めねじ５４により上下位置調節手段５が構成されている。
【００３１】
このように構成された上下位置調節手段５において、前記止めねじ５４を適宜に緩めてスライダ５２の固定を解除し、該スライダ５２を前記ガイド溝５０に沿って摺動させ、所望の摺動位置にて止めねじ５４を再度締め付ける手順により、上部ブラケット１１に対する下部ブラケット１２の相対位置を、前記長孔５１の長さ範囲内にて適宜に変更することができる。上送り棒１０の下端に前述の如く固定された上部ブラケット１１において、前記ガイド溝５０は上下方向に延設された状態にあるから、前記手順の実施により、下部ブラケット１２、及びこれの下端に形成された上送り歯１３の上下位置を調節することができる。
【００３２】
この調節は、前記ガイド溝５０の両側壁と底面とによる３方からの拘束下において前記スライダ５２を摺動させてなされるから、摺動の方向である上下方向以外の位置変化は生じない。従って、調節の前後において上送り歯１３は、上送り棒１０の周方向に対して位置ずれせず、押え金２に形成された前記送り歯溝２ａとの整合状態を保つことができる。これにより、前述の調節手順を上送り歯１３の上下位置にのみ注意を払って速やかに実施することができ、また調節後の縫製作業を、送り歯溝２ａの周縁部への上送り歯１３の接触又は衝突の虞れなく速やかに再開することができる。
【００３３】
また、以上の如き上下位置調節手段５における調節作業は、図１に示す如く、ミシンアームＡとミシンベッドＢとの略中間位置において、これらの存在に煩わされることなく実施することができ、更に、調節に際して緩め及び締め付けが必要となる前記止めねじ５４の頭部を、図１に示す如くミシンアームＡの左側に向けて配置することにより、前記調節作業を針３及び押え金２の存在に煩わされることなく実施することができる。
【００３４】
上送り歯１３の上下位置は、従来のミシンにおけると同様、上部ブラケット１１の上端の抱持筒１４において締め付けねじ１５を緩めて抱持を解除し、上送り棒１０に対して上下に摺動させることによっても実現し得るが、この調節は、前述の如く、上送り棒１０の周方向の位置ずれを伴う。本発明に係る上送り装置における抱持筒１４は、初期組立て時、又は損傷した送りブラケット１の交換時に、上下位置を初期設定する場合に限って行われ、縫製条件に応じた上送り歯１３の上下位置の調節は、上下位置調節手段５の前述した操作によって実施する。
【００３５】
上下位置調節手段５は、以上の実施の形態に示す構成に限らず、上送り棒１０に対する周方向位置を変えずに上送り歯１３の上下位置を調節し得る適宜の構成を採用することができる。
【００３６】
図４は、上下位置調節手段の第２の実施の形態を示す送りブラケット１の分解斜視図である。この実施の形態において送りブラケット１は、上送り棒１０を抱持するための抱持筒１４を上端部に備え、上送り歯１３を下端部に備える一部品として構成されており、上下位置調節手段６は、抱持筒１４の内面に形成されたスプライン６０、該スプライン６０に対応するように上送り棒１０の下端部外面に形成されたスプライン６１、及び抱持筒１４を締め付ける締め付けねじ６２により構成されている。
【００３７】
以上の如く構成された送りブラケット１は、上送り棒１０の下端部に抱持筒１４を嵌め込み、締め付けねじ６２の締め付けにより抱持筒１４の内径を減じて、該抱持筒１４により上送り棒１０の下部を抱持せしめて固定される。この後、上送り歯１３の上下位置を変更する場合には、締め付けねじ６２を適宜に緩め、抱持を解除した抱持筒１４を上送り棒１０に対して上下に摺動させ、所望の摺動位置にて締め付けねじ６２を再度締め付ける手順により実施される。このとき、送り棒１０に対する抱持筒１４の摺動は、前者の外面のスプライン６１と後者の内面のスプライン６０との噛合により周方向位置を変えずになされるから、上送り歯１３の上下位置を位置ずれを伴わずに調節することができる。
【００３８】
この実施の形態においては、送りブラケット１を一部品として構成し得る利点が有する一方、スプライン６０が形成される抱持筒１４の内径、及びスプライン６１が形成される上送り棒１０の外径が、数ｍｍ程度の小径であるため、両スプライン６０，６１を高精度に形成することが難しく、噛合隙間内での位置ずれの発生が避け難いという問題があり、また、上下位置の調節に際して緩め及び締め付け操作が必要となる締め付けねじ６２がミシンアームＡの近傍に位置するため、調節時の作業性に劣るという問題がある。
【００３９】
【発明の効果】
以上詳述した如く本発明の第１発明に係るミシンの上送り装置においては、上送り歯を下端に備える送りブラケットを、上送り棒に対する周方向位置を変えずに上下方向に位置調節することができ、縫製条件に適合する上送り歯の上下位置をミシンベッドの面上での位置ずれを生じずに速やかに実現することが可能となる。
【００４０】
また第２発明に係るミシンの上送り装置においては、上送り歯を下端に備える送りブラケットを上部ブラケットと下部ブラケットとに分割構成し、これらの間に上下位置調節手段を設けたから、上送り歯の上下位置の調節をミシンアームとミシンベッドとの間にて容易に実施することができる。
【００４１】
更に第３発明に係るミシンの上送り装置においては、上部ブラケット及び下部ブラケットの一方に上下に延びるガイド溝を設け、このガイド溝に嵌め込まれたスライダを他方に設けて、該スライダを前記ガイド溝内にて摺動させて上送り歯の上下位置を調節する構成としたから、ミシンベッドの面内での位置ずれを伴わない上送り歯の位置調節を確実に実現することが可能となる等、本発明は優れた効果を奏する。
【図面の簡単な説明】
【図１】本発明に係る上送り装置を備えるミシンの要部の左側面図である。
【図２】送りブラケットの分解斜視図である。
【図３】上送り棒の下端への送りブラケットの取付け状態を示す斜視図である。
【図４】上下位置調節手段の第２の実施の形態を示す送りブラケットの分解斜視図である。
【図５】従来の上送り装置を備えるミシンの要部の構成を示す左側面図である。
【図６】従来の上送り装置において上送り棒の下端への送りブラケットの取付け状態を示す斜視図である。
【符号の説明】
１　　送りブラケット
５　　上下位置調節手段
１０　　上送り棒
１１　　上部ブラケット
１２　　下部ブラケット
１３　　上送り歯
５０　　ガイド溝
５１　　長孔
５２　　スライダ
５３　　ねじ孔
５４　　止めねじ
Ａ　　ミシンアーム
Ｂ　　ミシンベッド
【図１】
2004049743.tif 000003
【図２】
2004049743.tif 000004
【図３】
2004049743.tif 000005
【図４】
2004049743.tif 000006
【図５】
2004049743.tif 000007
【図６】
2004049743.tif 000008